(57)【要約】【課題】基体の左右の幅を大きくすることなく、釣竿保持部を左右に大きく方向変更することが可能な釣竿保持装置を提供する。【解決手段】本発明の釣竿保持装置１は、基体２と、基体２に水平方向に回動可能に支持された釣竿保持部１０と、基体２と釣竿保持部１０のそれぞれの対向位置に設けられ、互いに係合して釣竿保持部の回動を規制するストッパ部２８ａ，２８ｂ及び１８ａ，１８ｂとを有する。基体２と釣竿保持部１０は、略同じ幅で形成されると共に、ストッパ部２８ａ，２８ｂ及び１８ａ，１８ｂは、夫々左右両側に設けられて互いに係合するようになっており、釣竿保持部１０を左に回動したときに基体２の左側ストッパ部２８ａと釣竿保持部の右側ストッパ部１８ｂが係合可能であり、釣竿保持部を右に回動したときに基体２の右側ストッパ部２８ｂと釣竿保持部の左側ストッパ部１８ａが係合可能である。【選択図】図１０
2009050239.tif 000002
【特許請求の範囲】
【請求項１】
基体と、該基体に水平方向に回動可能に支持された釣竿保持部と、前記基体と前記釣竿保持部のそれぞれの対向位置に設けられ、互いに係合して釣竿保持部の回動を規制する規制手段とを有する釣竿保持装置において、
前記基体と釣竿保持部は、略同じ幅で形成されており、
前記規制手段は、前記基体及び釣竿保持部の夫々左右両側に設けられて互いに係合するストッパ部を備えており、
釣竿保持部を左に回動したときに前記基体の左側ストッパ部と釣竿保持部の右側ストッパ部が係合可能であり、釣竿保持部を右に回動したときに前記基体の右側ストッパ部と釣竿保持部の左側ストッパ部が係合可能であることを特徴とする釣竿保持装置。
【請求項２】
前記基体のストッパ部は凹部で形成され、前記釣竿保持部のストッパ部は前記基体の凹部と係合可能な凸部で形成されていることを特徴とする請求項１に記載の釣竿保持装置。
【発明の詳細な説明】
【技術分野】
【０００１】
本発明は、船縁に取り付け可能な釣竿保持装置に関する。
【背景技術】
【０００２】
一般的に、船釣りをする際、船縁に釣竿を保持するための釣竿保持装置を装着することが行われている。従来の船縁に取り付け可能な釣竿保持装置は、コの字状の基体と、この基体に取り付けた釣竿保持部とを有しており、万力等のクランプ装置で基体を船縁に取り付け、魚のあたりを待つ間、釣竿保持部に釣竿を保持させている。
【０００３】
ところで、乗船した他の釣人と並んで釣りをする場合や、複数本の釣竿を使用する場合等、釣竿を自分の正面を外して斜め方向に設置したいことがあり、このような釣竿を斜め方向に設置できる釣竿保持装置として、例えば、特許文献１には、釣竿保持部を、左右に方向変更できるようにしたものが紹介されている。
【０００４】
この特許文献１に開示されている釣竿保持装置は、釣竿保持部を左右に回動可能に取り付けた基体上面に複数の凹部を設けておき、釣竿保持部を左右に回動したときに、釣竿保持部の下面中央に設けた１つの凸部を前記凹部に選択的に係合して回動を規制し、釣竿保持部の方向付けを行うよう構成されている。
【特許文献１】特開２００２−１７６８９５号
【発明の開示】
【発明が解決しようとする課題】
【０００５】
上記した釣竿保持装置は、釣竿保持部の下面の中央に１つの凸部を設け、この凸部を基体に設けた複数の凹部に選択的に係合する構成となっている。ところが、基体の左右の幅は限られているため、基体に設けておく凹部の数には限りがあり、結果として、釣竿保持部を左右に大きく方向を変えることができないという問題がある。
【０００６】
本発明は、上記した問題に着目してなされたものであり、基体の左右の幅を大きくすることなく、釣竿保持部を左右に大きく方向変更することが可能な釣竿保持装置を提供することを目的とする。
【課題を解決するための手段】
【０００７】
上記した目的を達成するために、本発明に係る釣竿保持装置は、基体と、該基体に水平方向に回動可能に支持された釣竿保持部と、前記基体と前記釣竿保持部のそれぞれの対向位置に設けられ、互いに係合して釣竿保持部の回動を規制する規制手段とを有する構成において、前記基体と釣竿保持部は、略同じ幅で形成されており、前記規制手段は、前記基体及び釣竿保持部の夫々左右両側に設けられて互いに係合するストッパ部を備えており、釣竿保持部を左に回動したときに前記基体の左側ストッパ部と釣竿保持部の右側ストッパ部が係合可能であり、釣竿保持部を右に回動したときに前記基体の右側ストッパ部と釣竿保持部の左側ストッパ部が係合可能であることを特徴とする。
【０００８】
上記した構成では、釣竿保持部は、規制手段を構成する基体及び釣竿保持部の夫々左右両側に設けられたストッパ部が互いに係合することで左右に回動することなく、釣竿を保持した状態となる。そして、上記したストッパ部は、基体及び釣竿保持部の夫々左右両側に設けられており、かつ釣竿保持部を左に回動したときに基体の左側ストッパ部と釣竿保持部の右側ストッパ部が係合し、釣竿保持部を右に回動したときに基体の右側ストッパ部と釣竿保持部の左側ストッパ部が係合するようになっているので、釣竿保持部の左右の回動角度を大きくすることが可能である。また、基体と釣竿保持部は、略同じ幅で形成することから、回動角度を大きくしながら装置のコンパクト化が図れる。
【発明の効果】
【０００９】
本発明によれば、基体の左右の幅を大きくすることなく、釣竿保持部を左右に大きく方向変更することが可能な釣竿保持装置が得られる。
【発明を実施するための最良の形態】
【００１０】
以下、本発明の一実施の形態について、図１から図８を参照して説明する。
これらの図において、図１は、船縁に取り付けた釣竿保持装置の全体構成を示す図、図２は、釣竿保持装置の詳細な構造を示す部分断面図、図３は、釣竿保持部が回動する状態を示す部分断面図、図４は、図２に示す状態から釣竿保持部を付け替えた状態を示す部分断面図、図５は、図４に示す状態で船縁に取り付けた状態を示す部分断面図、図６は、図２乃至図５に示す主要部の拡大図、図７は、釣竿保持装置の平面図、そして、図８は、図７のＡ−Ａ線に沿った要部断面図である。
【００１１】
釣竿保持装置１は、船縁５０に取り付けられるように構成されており、実際に船縁５０に取り付ける基体２と、釣竿６０を保持する釣竿保持部１０とを備えて構成されている。
【００１２】
前記船縁５０は、図１及び図５に示すように、船によって、或いは着座する位置によって形状が異なっており、図１に示すように水平方向の張出部５０ａがあれば、釣竿保持装置１は、後述するクランプ機構を上下方向に締め付けて取り付け、図５に示すように、水平方向の張出部５０ａがないかまたは短い形状であれば、同クランプ機構を水平方向に締め付けて取り付ける。
【００１３】
前記基体２は、縦フレーム２Ａ、横フレーム２Ｂ及びクランプ支持フレーム２Ｃを具備したコの字状に形成されており、クランプ支持フレーム２Ｃに装着されたクランプ機構３を締め付けることで、基体２を船縁５０に締め付け、固定することが可能となっている。このクランプ機構３は、公知の構成であり、縦フレーム２Ａと平行に延出するシャフト３ａを、下端に装着された操作レバー３ｂを回転することで、押圧部３ｃを横フレーム２Ｂに向けて進退させ、基体２を船縁５０の張出部５０ａ（図１参照）や、船縁５０の側壁５０ｂ（図５参照）に対して締め付けて取り付けることが可能となる。
【００１４】
前記基体２の横フレーム２Ｂの上面には、図１及び図２に示すように、釣竿保持部１０が取り付けられている。本実施形態の釣竿保持部１０は、後述する位置変更機構によって、基体２から取り外すことなく、縦フレーム２Ａの上面に移動して取り付けることが可能となっている（図５参照）。
【００１５】
釣竿保持部１０は、釣竿６０が載置されるＹ字状の竿受け部１２と、釣竿緊締具１５ａを具備する竿掛け部１５と、これら竿受け部１２と竿掛け部１５を支持する台座１７とを有している。
【００１６】
前記竿受け部１２は、台座１７に対して、矢印Ａ方向に揺動して竿受け部１２の位置を上下方向に調整可能に構成されている。具体的には、竿受け部１２は、その本体１２ａの基端部が支持部１２ｂによって台座１７に対して揺動可能に軸支されると共に、本体１２ａには、ボルト１３が螺入されている。このボルト１３は、本体１２ａの下面から下側に突出しており、その突出端には、ツマミ１３ａが装着されている。このため、本体１２ａを台座１７に対して持ち上げ、ツマミ１３ａを回転操作してボルト１３の位置（突出量）を調整することで、竿受け部１２の位置は上下方向に調整可能となっている。
【００１７】
前記竿掛け部１５は、台座１７に対して取り付けられており、実釣時において、釣竿６０の元竿に取着される釣竿緊締具１５ａを着脱可能にしている。この場合、公知のように、レバー１５ｂを操作することで、釣竿緊締具１５ａは竿掛け部１５から取り外しできるよう構成されている。
【００１８】
また、本実施形態の釣竿保持部１０は、位置変更機構２０を構成する軸部２３を回動操作することによって基体２から取り外すことなく、横フレーム２Ｂ及び縦フレーム２Ａの上面に対して、選択的に取り付けすることが可能となっている。
【００１９】
以下、位置変更機構２０の構成について詳細に説明する。
前記基体２の縦フレーム２Ａと横フレーム２Ｂの交差部は略直角に屈曲しており、この交差部には、縦フレームから横フレームに通じる溝２１が形成されている。具体的に、溝２１は、略直角に屈曲する交差部領域において、側面視で正方形状となるように形成されており、縦フレーム２Ａの表面から横フレーム２Ｂの表面にかけて開口するように形成されている。
【００２０】
そして、前記溝２１の内部には、前記軸部２３の基端部が支軸２３ａを介して枢着（軸支）されている。この軸部２３は、その基端部が支軸２３ａを介して枢着されることで、溝２１に沿って縦フレーム２Ａ側から横フレーム２Ｂ側、及び横フレーム２Ｂ側から縦フレーム２Ａ側に回動可能となっている。
【００２１】
前記軸部２３は、上記したように回動することで、釣竿保持部１０を、選択的に縦フレーム２Ａの表面、及び横フレーム２Ｂの表面のいずれかに取り付ける機能を有する。この場合、軸部２３には、雄ネジ部２３ｂが形成されており、その部分にナット部材２４が螺合されている。このナット部材２４は、一端に摘み２４ａを具備した軸方向に延出する袋ナットとして構成されており、軸部２３に螺合されるナット部材２４は、前記釣竿保持部１０の台座１７に形成された挿通孔１７ａに挿通され、摘み２４ａを台座１７の表面から露出させている。
【００２２】
この結果、摘み２４ａを締め付け操作することで、図１及び図２に示すように、台座１７（釣竿保持部１０）は、横フレーム２Ｂの表面に押圧され、移動が規制されて取り付けされる。
【００２３】
また、ナット部材２４を緩めると、台座１７（釣竿保持部１０）は、軸部２３（ナット部材２４を構成する袋ナット）に沿って上方に移動することが可能となる。すなわち、緩めたナット部材２４が軸部に螺合したままで釣竿保持部１０を軸部に沿って上方に移動させ、横フレーム２Ｂから離して軸部２３を溝２１に沿って縦フレーム２Ａ側に回動し（図３参照）、同時に釣竿保持部１０を縦フレーム２Ａ側に移動させることで、釣竿保持部１０を基体２から取り外すことなく、縦フレーム２Ａの表面に取り付け可能に移動させることができる。この場合、図６に示すように、軸部２３の先端部には、例えば、周方向溝が形成されており、この部分にＣ型のリング状部材で構成された抜け止め２３ｄが装着されている。このような抜け止め２３ｄを装着しておくことで、ナット部材２４を緩めていっても、最終的に、その雌ネジ部が抜け止め部２３ｄに引っ掛かってナット部材２４が軸部２３から抜けて脱落することを防止している。
【００２４】
そして、釣竿保持部１０を、縦フレーム２Ａ側に回動して移動させた後は、再び摘み２４ａを締め付け操作することで、図４に示すように、台座１７（釣竿保持部１０）を、縦フレーム２Ａの表面に押圧して、移動を規制して取り付けすることができ、これにより、図５に示すように、クランプ機構３を水平方向に締め付けて釣竿保持装置１を装着することが可能となる。
【００２５】
すなわち、ナット部材２４を螺合操作するだけで、釣竿保持部１０は、基体２から外れることなく、所望のフレーム（縦フレーム２Ａ又は横フレーム２Ｂ）に対して、押圧、取り付けすることができる。
【００２６】
なお、釣竿保持部１０を縦フレーム２Ａ側に回動して移動する際には、釣竿保持部１０を、軸部２３を中心にして周方向に略１８０°回転することで、以下の規制手段３０を互いに係合させ、縦フレーム２Ａ側においても、横フレーム２Ｂ側と同様、釣竿保持部１０の左右の回動を規制するようにしている。
【００２７】
前記基体２と釣竿保持部１０には、釣竿保持部１０が、縦フレーム２Ａ及び横フレーム２Ｂのいずれに対して押圧、取り付けされた際にも、互いに係合して釣竿保持部１０の左右方向（釣人が実釣時において、船縁に装着された釣竿保持装置を視認した際の方向で定義する）の回動を規制する規制手段３０が設けられている。
【００２８】
前記基体２と釣竿保持部１０は、図７及び図８に示すように、左右方向で同一幅に形成されており、両者が面接した際に、左右方向に膨出部が生じないように構成されている（もちろん、両者は全く同一幅ではなく、一方が他方に対して多少膨出した状態であっても良い）。
【００２９】
前記規制手段３０は、互いに面接する基体２と釣竿保持部１０（台座１７）の夫々の対向位置に設けられており、互いに係合するストッパ部として構成されている。ストッパ部は、図８に示すように、基体２及び釣竿保持部（台座１７）の夫々左右両側に設けられており、互いが係合するよう構成されている。
【００３０】
この場合、基体２に形成されるストッパ部は、凹部（左側凹部２８ａ，右側凹部２８ｂ）として構成され、台座１７に形成されるストッパ部は、基体の凹部２８ａ，２８ｂと係合可能な凸部（左側凸部１８ａ，右側凸部１８ｂ）として構成されており、両者の係合を確実にして、釣竿保持部１０の左右方向の回動が確実に規制され方向が決められるようになっている。
【００３１】
上記したストッパ部は、通常の状態、すなわち、左側凹部２８ａと右側凸部１８ａが係合し、かつ右側凹部２８ｂと右側凸部１８ｂが係合した状態では、図８及び図９に示すように、釣竿保持部１０は正面を向いた状態となり、両者の凹凸の係合関係によって、左右の回動が規制されて位置決めされた状態となる。このため、釣人は、釣竿を正面に向けて保持させることができる。
【００３２】
そして、図９及び図１０に示すように、釣竿保持部１０を左に回動したとき、左側凹部２８ａと右側凸部１８ｂが係合可能であり、釣竿保持部１０を右に回動したとき、右側凹部２８ｂと左側凸部１８ａが係合可能となっている。
【００３３】
上記したように、基体２に形成されるストッパ部（左側凹部２８ａ，右側凹部２８ｂ）と、台座１７に形成されるストッパ部（左側凸部１８ａ，右側凸部１８ｂ）は、それぞれ左右の両端部に設けているため、釣竿保持部を左右に回動した際、それぞれの端部のストッパ部が係合することで、釣竿保持部１０の左右の回動を、装置本体を大型化することなく、可能な限り大きくすることが可能となる。
【００３４】
なお、上記したストッパ部の左右の端面からの形成位置は、端部から近ければ近いほど好ましいが、あまり近すぎると、釣竿保持部を左右に回動させた際、支持状態が安定しない可能性があるため、図８に示すように、上記した基体２の幅をＷ、基体２の端面からストッパ部の中心までの長さをＬとした場合、Ｌ／Ｗは、５〜２０％の範囲に設定しておくことが好ましい。すなわち、このような範囲に設定しておくことで、左右の回動範囲を可能な限り大きくした状態で、安定して釣竿保持部１０を位置決めすることが可能となる。
【００３５】
以上、本発明の実施形態について説明したが、本発明は、上記した実施形態に限定されることはなく、種々変形することが可能である。例えば、上記の規制手段であるストッパ部については、釣竿保持部１０側を凹部、基体２側を凸部にする等、釣竿保持部１０の回動を規制できるように構成されたものであれば良い。また、本実施形態では、釣竿保持部１０は、基体２から取り外すことなく、その取り付け位置を変更できるように構成されていたが、釣竿保持部１０を基体２から取り外して取り付け位置を変更できる構成であっても良く、更には、取り付け位置を変更できない釣竿保持装置においても適用することが可能である。
【図面の簡単な説明】
【００３６】
【図１】船縁に取り付けた釣竿保持装置の全体構成を示す図。
【図２】釣竿保持装置の詳細な構造を示す部分断面図。
【図３】釣竿保持部が回動する状態を示す部分断面図。
【図４】図２に示す状態から釣竿保持部を付け替えた状態を示す部分断面図。
【図５】図４に示す状態で船縁に取り付けた状態を示す部分断面図。
【図６】図２乃至図５に示す主要部の拡大図。
【図７】釣竿保持装置の平面図。
【図８】図７のＡ−Ａ線に沿った要部断面図。
【図９】図７において、釣竿保持部を左右に回動させた状態を示す図。
【図１０】図８において、釣竿保持部を左右に回動させた状態を示す図。
【符号の説明】
【００３７】
１  釣竿保持装置
２  基体
２Ａ  縦フレーム
２Ｂ  横フレーム
３  クランプ機構
１０  釣竿保持部
１７  台座
１８ａ，１８ｂ  ストッパ部（凸部）
２０  位置変更機構
２３  軸部
２４  ナット部材
２８ａ，２８ｂ  ストッパ部（凹部）
【図１】
2009050239.tif 000003
【図２】
2009050239.tif 000004
【図３】
2009050239.tif 000005
【図４】
2009050239.tif 000006
【図５】
2009050239.tif 000007
【図６】
2009050239.tif 000008
【図７】
2009050239.tif 000009
【図８】
2009050239.tif 000010
【図９】
2009050239.tif 000011
【図１０】
2009050239.tif 000012